(57)【要約】【課題】階調性に優れたデュアルエナジー法による差分画像データを差分係数の更新に追随させて表示する。【解決手段】画像データ処理部８は、被検体１５０から収集された高管電圧撮影モードの第１の原画像データ及び低管電圧撮影モードの第２の原画像データのヒストグラムに基づいて基準差分係数を算出し、この基準差分係数を用いた第１の原画像データと第２の原画像データとの減算処理により基準差分画像データを生成する。次いで、第１の原画像データ及び基準差分画像データのヒストグラムから算出されるウインドウレベル及びウインドウ幅に基づき、任意の差分係数を適用した第１の原画像データと第２の原画像データとの減算処理により生成される差分画像データのウインドウレベル及びウインドウ幅を推定し、得られたウインドウレベル及びウインドウ幅に基づいて前記差分画像データの画素値を変換処理して表示部９に表示する。【選択図】図１
2010046287.tif 000002
【特許請求の範囲】
【請求項１】
デュアルエナジー法を適用して被検体から収集した異なる管電圧のＸ線撮影モードにおける第１の原画像データと第２の原画像データとの減算処理によって差分画像データを生成するＸ線診断装置において、
前記減算処理における差分係数を設定する差分係数設定手段と、
前記差分係数を用いた前記第１の原画像データと前記第２の原画像データとの減算処理により前記差分画像データを生成する差分画像データ生成手段と、
前記差分画像データのウインドウパラメータを推定するウインドウパラメータ推定手段と、
得られた前記差分画像データのウインドウパラメータに基づき前記差分画像データを変換処理して表示する表示手段とを
備えたことを特徴とするＸ線診断装置。
【請求項２】
前記第１の原画像データのウインドウパラメータ及び前記第２の原画像データのウインドウパラメータに基づいて基準差分係数を算出する基準差分係数算出手段を備え、前記ウインドウパラメータ推定手段は、前記差分画像データ生成手段が前記基準差分係数を用いた前記第１の原画像データと前記第２の原画像データとの減算処理によって生成した基準差分画像データのウインドウパラメータと、前記第１の原画像データのウインドウパラメータあるいは前記第２の原画像データのウインドウパラメータと、前記差分係数に基づいて前記差分画像データのウインドウパラメータを推定することを特徴とする請求項１記載のＸ線診断装置。
【請求項３】
ヒストグラム算出手段とウインドウパラメータ算出手段を備え、前記ウインドウパラメータ算出手段は、前記ヒストグラム算出手段が算出した前記第１の原画像データのヒストグラム、前記第２の原画像データのヒストグラム及び前記基準差分画像データのヒストグラムの各々に基づいて前記第１の原画像データのウインドウパラメータ、前記第２の原画像データのウインドウパラメータ及び前記基準差分画像データのウインドウパラメータを算出することを特徴とする請求項２記載のＸ線診断装置。
【請求項４】
前記ウインドウパラメータ算出手段は、前記第１の原画像データのヒストグラム、前記第２の原画像データのヒストグラム及び前記基準差分画像データのヒストグラムの各々に基づいて夫々の画像データにおけるウインドウレベル及びウインドウ幅を前記ウインドウパラメータとして算出し、前記ウインドウパラメータ推定手段は、前記第１の原画像データのウインドウレベル及びウインドウ幅あるいは前記第２の原画像データのウインドウレベル及びウインドウ幅と、前記基準差分画像データのウインドウレベル及びウインドウ幅と、前記差分係数に基づいて前記差分画像データのウインドウレベル及びウインドウ幅を推定することを特徴とする請求項３記載のＸ線診断装置。
【請求項５】
前記ウインドウパラメータ算出手段は、前記ヒストグラム算出手段が算出した前記第１の原画像データのヒストグラム及び前記第２の原画像データのヒストグラムにおける被検体透過領域のヒストグラム成分に基づいて前記第１の原画像データのウインドウパラメータ及び前記第２の原画像データのウインドウパラメータを算出することを特徴とする請求項３記載のＸ線診断装置。
【請求項６】
前記基準差分係数算出手段は、前記ウインドウパラメータ算出手段が算出した前記第１の原画像データのウインドウ幅及び前記第２の原画像データのウインドウ幅に基づいて前記基準差分係数を算出することを特徴とする請求項４記載のＸ線診断装置。
【請求項７】
前記基準差分係数算出手段は、前記ウインドウパラメータ算出手段が算出した前記第１の原画像データのウインドウ幅及び前記第２の原画像データのウインドウ幅に基づいて前記差分画像データのウインドウ幅が最小となる差分係数を前記基準差分係数として算出することを特徴とする請求項６記載のＸ線診断装置。
【請求項８】
前記表示手段は、前記差分画像データのウインドウパラメータが表示系の表示範囲に適合するように前記差分画像データの画素値を変換処理することを特徴とする請求項１記載のＸ線診断装置。
【請求項９】
デュアルエナジー法を適用して被検体から収集された異なる管電圧のＸ線撮影モードにおける第１の原画像データと第２の原画像データとを減算処理して差分画像データを生成するＸ線画像処理装置において、
前記減算処理における差分係数を設定する差分係数設定手段と、
前記差分係数を用いた前記第１の原画像データと前記第２の原画像データとの減算処理により前記差分画像データを生成する差分画像データ生成手段と、
前記差分画像データのウインドウパラメータを推定するウインドウパラメータ推定手段と、
得られた前記差分画像データのウインドウパラメータに基づき前記差分画像データを変換処理して表示する表示手段とを
備えたことを特徴とするＸ線画像処理装置。
【発明の詳細な説明】
【技術分野】
【０００１】
本発明は、Ｘ線診断装置及びＸ線画像処理装置に係り、特に、デュアルエナジー法によって収集された階調性に優れる差分画像データを短時間で表示することが可能なＸ線診断装置及びＸ線画像処理装置に関する。
【背景技術】
【０００２】
Ｘ線診断装置やＭＲＩ装置、更には、Ｘ線ＣＴ装置等を用いた医用画像診断は、コンピュータ技術の発展に伴って急速な進歩を遂げ、今日の医療において必要不可欠なものとなっている。
【０００３】
Ｘ線診断装置は、近年のデジタル化によりフィルタリング処理等の画像処理やデジタルサブトラクションアンギオグラフィ（ＤＳＡ）に代表される画像データ間のサブトラクション処理（減算処理）が容易に行なわれるようになり、例えば、同一の撮影部位において収集した造影剤投与前の画像データと造影剤投与後の画像データのサブトラクション処理により血管の状態を鮮明に観察することが可能となった。
【０００４】
又、サブトラクション処理の１つとして、同一の撮影部位に対して高い管電圧によるＸ線撮影と低い管電圧によるＸ線撮影を順次行ない、線質の異なるＸ線を用いて得られた２つの原画像データの画素値（濃度値）に適当な係数（差分係数）を乗じて減算することにより差分画像データを生成する、所謂、デュアルエナジー法あるいはデュアルエナジーサブトラクション法が行なわれている（例えば、特許文献１参照。）。
【０００５】
図９は、デュアルエナジー法を適用した胸部撮影を模式的に示したものであり、Ｘ線管から照射される高管電圧撮影モードのＸ線によって生成される原画像データＤａの画素値Ｐａと低管電圧撮影モードのＸ線によって生成される原画像データＤｂの画素値Ｐｂに対し、例えば、Ｐｘ＝Ｐａ−Ａ Ｐｂ＋Ｂに基づいた減算処理を行なうことによって画素値Ｐｘを有する差分画像データＤｘの生成が行なわれる。但し、Ａは上述の差分係数であり、Ｂは画素値Ｐｘが負の値をとらないためのオフセット成分である。このとき、原画像データＤａと原画像データＤｂとの減算処理における差分係数Ａを変化させることにより、Ｘ線吸収の大きい胸骨が強調された差分画像データやＸ線吸収の小さい肺血管等の軟組織が強調された差分画像データを容易に生成することができる。
【特許文献１】特開２００８−７３１１５号公報
【発明の開示】
【発明が解決しようとする課題】
【０００６】
Ｘ線診断装置では、通常、階調性やＳ／Ｎに優れた画像データの表示を行なうために、画像データのヒストグラムを用いてウインドウレベル及びウインドウ幅を算出し、得られた画像データのウインドウレベル及びウインドウ幅（即ち、画素値の中央値及び分布範囲）が表示系の表示範囲（ダイナミックレンジ）に適合するように画像データの画素値に対して変換処理が行なわれる。
【０００７】
一方、デュアルエナジー法を適用して差分画像データの収集を行なう場合、操作者は、差分係数を順次更新し、このとき更新された差分係数の各々に基づいて時系列的に得られる差分画像データを観測することにより所望の差分画像データを収集する方法が行なわれている。
【０００８】
このような表示方法を行なうＸ線診断装置において、差分画像データのウインドウレベル及びウインドウ幅は差分係数の更新に伴って変化するため、画像データにおける画素値の分布範囲と表示系の表示範囲を正確に適合させるためには、差分係数が更新される度に差分画像データのヒストグラムを算出し、このヒストグラムから得られるウインドウレベル及びウインドウ幅に基づいて差分画像データの画素値を変換処理しなくてはならない。しかしながら、観察効率を高めるために差分係数の更新速度を速めた場合、差分画像データの表示が差分係数の更新速度に追随できなくなるという問題点を有していた。
【０００９】
本発明は、上述の問題点に鑑みてなされたものであり、その目的は、Ｓ／Ｎ及び階調性に優れたデュアルエナジー法による差分画像データを差分係数の更新に追随させて短時間で表示することが可能なＸ線診断装置及びＸ線画像処理装置を提供することにある。
【課題を解決するための手段】
【００１０】
上記課題を解決するために、請求項１に係る本発明のＸ線診断装置は、デュアルエナジー法を適用して被検体から収集した異なる管電圧のＸ線撮影モードにおける第１の原画像データと第２の原画像データとの減算処理によって差分画像データを生成するＸ線診断装置において、前記減算処理における差分係数を設定する差分係数設定手段と、前記差分係数を用いた前記第１の原画像データと前記第２の原画像データとの減算処理により前記差分画像データを生成する差分画像データ生成手段と、前記差分画像データのウインドウパラメータを推定するウインドウパラメータ推定手段と、得られた前記差分画像データのウインドウパラメータに基づき前記差分画像データを変換処理して表示する表示手段とを備えたことを特徴としている。
【００１１】
一方、請求項９に係る本発明のＸ線画像処理装置は、デュアルエナジー法を適用して被検体から収集された異なる管電圧のＸ線撮影モードにおける第１の原画像データと第２の原画像データとを減算処理して差分画像データを生成するＸ線画像処理装置において、前記減算処理における差分係数を設定する差分係数設定手段と、前記差分係数を用いた前記第１の原画像データと前記第２の原画像データとの減算処理により前記差分画像データを生成する差分画像データ生成手段と、前記差分画像データのウインドウパラメータを推定するウインドウパラメータ推定手段と、得られた前記差分画像データのウインドウパラメータに基づき前記差分画像データを変換処理して表示する表示手段とを備えたことを特徴としている。
【発明の効果】
【００１２】
本発明によれば、Ｓ／Ｎ及び階調性に優れたデュアルエナジー法による差分画像データを差分係数の更新に追随させて短時間で表示することができる。このため、診断効率が向上するのみならず操作者の負担が大幅に軽減される。
【発明を実施するための最良の形態】
【００１３】
以下、図面を参照して本発明の実施例を説明する。
【実施例１】
【００１４】
以下に述べる本発明の第１の実施例におけるＸ線診断装置は、デュアルエナジー法を適用して当該被検体から収集される高管電圧撮影モードの画像データ（以下、第１の原画像データと呼ぶ。）及び低管電圧撮影モードの画像データ（以下、第２の原画像データと呼ぶ。）のヒストグラムに基づいて基準差分係数を算出し、この基準差分係数を用いた第１の原画像データと第２の原画像データとの減算処理によって基準差分画像データを生成する。次いで、第１の原画像データ及び基準差分画像データのヒストグラムから算出されるウインドウレベル及びウインドウ幅に基づき、任意の差分係数を用いた第１の原画像データと第２の原画像データとの減算処理によって生成される差分画像データのウインドウレベル及びウインドウ幅を推定し、得られたウインドウレベル及びウインドウ幅に基づいて前記差分画像データの画素値を変換処理し表示部に表示する。
【００１５】
尚、以下の実施例では、高管電圧撮影モードにおいて生成される画像データを第１の原画像データ、低管電圧撮影モードにおいて生成される画像データを第２の原画像データとし、第１の原画像データの画素値から基準差分係数あるいは差分係数が乗ぜられた第２の原画像データの画素値を減算することによって基準差分画像データあるいは差分画像データを生成する場合について述べるが、これに限定されるものではなく、低管電圧撮影モードにおいて生成される画像データを第１の原画像データ、高管電圧撮影モードにおいて生成される画像データを第２の原画像データとしても構わない。
【００１６】
（装置の構成）
本発明の第１の実施例におけるＸ線診断装置の構成と機能につき図１乃至図６を用いて説明する。但し、図１は、Ｘ線診断装置の全体構成を示すブロック図であり、図２は、このＸ線診断装置が備えるＸ線撮影部の具体的な構成を示すブロック図である。
【００１７】
図１に示す本実施例のＸ線診断装置１００は、デュアルエナジー法が適用された被検体１５０に対して高管電圧撮影モード及び低管電圧撮影モードのＸ線を照射すると共に被検体１５０を透過したこれらのＸ線を検出して投影データを生成するＸ線撮影部１と、前記投影データに基づいて高管電圧撮影モードの画像データ（第１の原画像データ）及び低管電圧撮影モードの画像データ（第２の原画像データ）を生成する画像データ生成部６と、得られたこれらの原画像データを保存する画像データ記憶部７と、第１の原画像データと第２の原画像データとの減算処理により基準差分画像データ及び差分画像データを生成し、更に、第１の原画像データ及び基準差分画像データのヒストグラムに基づいて差分画像データのウインドウレベル及びウインドウ幅を推定する画像データ処理部８を備えている。
【００１８】
更に、Ｘ線診断装置１００は、画像データ処理部８において推定されたウインドウレベル及びウインドウ幅に基づいて差分画像データの画素値を変換し所定のモニタに表示する表示部９と、被検体情報の入力、差分係数の設定、ヒストグラムに対する閾値の設定、更には、各種コマンド信号の入力等を行なう入力部１０と、Ｘ線診断装置１００が備える上述の各ユニットを統括的に制御するシステム制御部１１を備えている。
【００１９】
Ｘ線撮影部１は、図１に示すように被検体１５０に対して高管電圧撮影モード及び低管電圧撮影モードのＸ線を照射するＸ線発生部２と、被検体１５０を透過したこれらのＸ線を検出するＸ線検出部３と、検出されたＸ線に基づいて投影データを生成する投影データ生成部４と、Ｘ線発生部２に対し予め設定された高管電圧撮影モードの管電圧及び低管電圧撮影モードの管電圧を供給する管電圧発生部５を備えている。
【００２０】
次に、Ｘ線撮影部１が有する上述の各ユニットの具体例につき図２を用いて更に詳しく説明する。
【００２１】
図２に示すＸ線発生部２は、被検体１５０に対し高管電圧撮影モード及び低管電圧撮影モードのＸ線を放射するＸ線管２１と、Ｘ線管２１から放射されたＸ線に対してＸ線錘（コーンビーム）を形成するＸ線絞り器２２を備えている。Ｘ線管２１は、Ｘ線を発生する真空管であり、陰極（フィラメント）より放出された電子を管電圧によって加速させてタングステン陽極に衝突させＸ線を発生させる。一方、Ｘ線絞り器２２は、Ｘ線管２１と被検体１５０の間に位置し、Ｘ線管２１から照射されたＸ線ビームを所定の照射視野のサイズに絞り込む機能を有している。
【００２２】
Ｘ線検出部３は、Ｘ線を直接電荷に変換する方式と一旦光に変換した後電荷に変換する方式があり、本実施例では前者について説明するが後者であっても構わない。即ち、本実施例におけるＸ線検出部３は、被検体１５０を透過したＸ線を電荷に変換して蓄積する平面検出器３１と、この平面検出器３１に蓄積された電荷を読み出すための駆動パルスを生成するゲートドライバ３２を備えている。
【００２３】
平面検出器３１は、２次元配列された複数の微小な検出素子によって構成され、各々の検出素子は、Ｘ線を感知し入射Ｘ線量に応じて電荷を生成する光電膜と、この光電膜に発生した電荷を蓄積する電荷蓄積コンデンサと、電荷蓄積コンデンサに蓄積された電荷を所定のタイミングで読み出すＴＦＴ（薄膜トランジスタ）（何れも図示せず）を備えている。そして、蓄積された電荷はゲートドライバ３２が供給する駆動パルスによって順次読み出される。
【００２４】
一方、投影データ生成部４は、平面検出器３１から行単位あるいは列単位でパラレルに読み出された電荷を電圧に変換する電荷・電圧変換器４１と、この電荷・電圧変換器４１の出力をデジタル信号に変換するＡ／Ｄ変換器４２と、デジタル変換されたパラレル信号を時系列的なシリアル信号に変換するパラレル・シリアル変換器４３を備えている。
【００２５】
管電圧発生部５は、Ｘ線管２１の陰極から発生する熱電子を加速するために、陽極と陰極の間に印加する管電圧を発生させる管電圧発生器５２と、システム制御部１１から供給される指示信号に従い、管電圧発生器５２における管電圧やこの管電圧に伴う管電流、照射時間、照射タイミング等のＸ線照射条件を制御するＸ線制御部５１を備えている。特に、デュアルエナジー法が適用された本実施例のＸ線制御部５１は、高管電圧撮影モードにおける管電圧と低管電圧撮影モードにおける管電圧をシステム制御部１１から供給される指示信号に従って設定する。
【００２６】
図１へ戻って、画像データ生成部６は、図示しない投影データ記憶部と画像演算部を備え、前記投影データ記憶部は、Ｘ線撮影部１の投影データ生成部４から供給される時系列的な投影データを順次保存して高管電圧撮影モード及び低管電圧撮影モードの２次元投影データを生成する。一方、前記画像演算部は、前記投影データ記憶部にて生成された上述の２次元投影データに対しフィルタリング処理等を行なって第１の原画像データ及び第２の原画像データを生成する。そして、画像データ生成部６によって生成された高管電圧撮影モードにおける第１の原画像データと低管電圧撮影モードにおける第２の原画像データは画像データ記憶部７に一旦保存される。
【００２７】
図１へ戻って、画像データ処理部８は、ヒストグラム算出部８１、ウインドウパラメータ算出部８２、基準差分係数算出部８３、差分画像データ生成部８４及びウインドウパラメータ推定部８５を備えている。
【００２８】
ヒストグラム算出部８１は、図示しない演算部と記憶部を備え、前記記憶部にはヒストグラム算出用のソフトウェアプログラムが予め保管されている。そして、前記演算部は、画像データ記憶部７に保存されている被検体１５０の高管電圧撮影モードにおける第１の原画像データを読み出し、上述のソフトウェアプログラムを用いて第１の原画像データのヒストグラムを算出する。同様にして、画像データ記憶部７から読み出した低管電圧撮影モードにおける第２の原画像データのヒストグラムを算出し、更に、後述の基準差分係数算出部８３が算出した基準差分係数に基づく第１の原画像データと第２の原画像データとの減算処理により生成される基準差分画像データのヒストグラムを算出する。
【００２９】
一方、ウインドウパラメータ算出部８２は、ヒストグラム算出部８１によって算出されたヒストグラムに基づいて原画像データ及び基準差分画像データのウインドウレベル及びウインドウ幅をウインドウパラメータとして算出する。即ち、ウインドウパラメータ算出部８２は、ヒストグラム算出部８１から供給される第１の原画像データのヒストグラムとシステム制御部１１を介して入力部１０から供給される閾値αに基づいて第１の原画像データのウインドウレベルとウインドウ幅を算出する。同様にして、第２の原画像データのヒストグラムと閾値αに基づいて第２の原画像データのウインドウレベル及びウインドウ幅を算出し、更に、基準差分画像データのヒストグラムと閾値αに基づいて基準差分画像データのウインドウレベルとウインドウ幅を算出する。
【００３０】
次に、上述のヒストグラム算出部８１によって算出される原画像データのヒストグラムとウインドウパラメータ算出部８２によって算出される原画像データのウインドウレベル及びウインドウ幅につき図３を用いて更に詳しく説明する。
【００３１】
図３は、原画像データに対してヒストグラム算出部８１が算出するヒストグラムの具体例であり、このヒストグラムは、原画像データを構成する画素の画素値（輝度値）を横軸に、又、原画像データにおける前記画素値の存在頻度を縦軸に示している。
【００３２】
原画像データでは、通常、被検体１５０を透過したＸ線に基づいて生成される画像データの領域（被検体透過領域）とＸ線管２１から直接照射されたＸ線に基づいて生成される画像データの領域（直接照射領域）が存在する。これらの領域が混在した原画像データのヒストグラムは、図３に示すように、被検体１５０による吸収減衰がないため比較的大きな中央値と小さな分布幅を有する直接照射領域のヒストグラム成分Ｈｄと被検体１５０による吸収減衰のため比較的小さな中央値と大きな分布幅を有する被検体透過領域のヒストグラム成分Ｈｔによって構成されている。
【００３３】
そして、ヒストグラム算出部８１によって算出された原画像データのヒストグラムに対するウインドウレベル及びウインドウ幅の算出に際し、図１のウインドウパラメータ算出部８２は、先ず、ヒストグラム成分Ｈｄ及びヒストグラム成分Ｈｔに対して所定の閾値αを設定することにより各々のヒストグラム成分を分離し、大きな中央値と小さな分布幅を有する直接照射領域のヒストグラム成分Ｈｄを排除する。
【００３４】
次いで、閾値αと交叉するヒストグラム成分Ｈｔの最大画素値Ｂｍａｘ及び最小画素値Ｂｍｉｎを検出し、この最大画素値Ｂｍａｘと最小画素値Ｂｍｉｎを下式（１）へ代入することによって原画像データのウインドウレベルＷＬとウインドウ幅ＷＷを算出する。但し、下式（１）のΔＷ１及びΔＷ２は、ヒストグラム成分Ｈｔの分布幅Ｗ（Ｗ＝Ｂｍａｘ−Ｂｍｉｎ）の端部に対して設定されたマージンであり、このマージンΔＷ１及びΔＷ２はΔＷ１＝ΔＷ２であってもよく、又、ΔＷ１≦０及びＷ２≦０であっても構わない。
【数１】
2010046287.tif 000003
【００３５】
次に、第１の原画像データ、第２の原画像データ及び基準差分画像データのヒストグラムと、これらのヒストグラムに基づいて算出される各画像データのウインドウレベル及びウインドウ幅につき図４を用いて説明する。
【００３６】
図４（ａ）及び図４（ｂ）は、ヒストグラム算出部８１によって算出される第１の原画像データ及び第２の原画像データのヒストグラムである。ウインドウパラメータ算出部８２は、図３に示した方法により第１の原画像データのウインドウレベルＷＬａ及びウインドウ幅ＷＷａと第２の原画像データのウインドウレベルＷＬｂ及びウインドウ幅ＷＷｂを算出する。
【００３７】
一方、図３（ｃ）は、差分画像データ生成部８４が基準差分係数を用いた第１の原画像データと第２の原画像データとの減算処理によって生成した基準差分画像データのヒストグラムである。この基準差分画像データの生成に際し、第１の原画像データのウインドウ幅ＷＷａと第２の原画像データのウインドウ幅ＷＷｂが等しくなるような基準差分係数が後述の基準差分係数算出部８３によって算出され、この基準差分係数を用いた上述の減算処理によって得られる基準差分画像データのヒストグラムは、図４（ｃ）に示すように単峰性となりそのウインドウ幅ＷＷｏは最小となる。ウインドウパラメータ算出部８２は、この基準差分画像データのヒストグラムと閾値αとの比較によって得られた最大画素値Ｂｍａｘ及び最小画素値Ｂｍｉｎを上式（１）へ代入することにより基準差分画像データのウインドウレベルＷＬｏ及びウインドウ幅ＷＷｏを算出する。
【００３８】
再び図１へ戻って、基準差分係数算出部８３は、ヒストグラムのウインドウ幅が最小となる基準差分画像データを生成する際の第１の原画像データと第２の原画像データとの減算処理に用いる基準差分係数を、第１の原画像データ及び第２の原画像データのヒストグラムに基づいて算出する機能を有している。
【００３９】
即ち、基準差分係数算出部８３は、ウインドウパラメータ算出部８２が算出した第１の原画像データのウインドウ幅ＷＷａ及び第２の原画像データのウインドウ幅ＷＷｂを、例えば、下式（２）へ代入することにより基準差分係数Ａｏを算出する。
【数２】
2010046287.tif 000004
【００４０】
次に、差分画像データ生成部８４は、画像データ記憶部７から読み出した第１の原画像データと第２の原画像データとの減算処理により基準差分画像データ及び差分画像データを生成する機能を有している。即ち、差分画像データ生成部８４は、上述の基準差分係数算出部８３から供給される基準差分係数Ａｏを適用した下式（３）に基づく第１の原画像データと第２の原画像データとの減算処理により基準差分画像データを生成し、更に、入力部１０において任意に設定される差分係数Ａｘを適用した下式（４）に基づく第１の原画像データと第２の原画像データとの減算処理によって所望の差分画像データ（例えば、骨格が強調された差分画像データや肺血管が強調された差分画像データ）を生成する。
【数３】
2010046287.tif 000005
【００４１】
尚、上式（３）及び上式（４）におけるＰａ（ｘ、ｙ）及びＰｂ（ｘ、ｙ）は、第１の原画像データ及び第２の原画像データの画素値であり、Ｐｏ（ｘ、ｙ）及びＰｘ（ｘ，ｙ）は、第１の原画像データと第２の原画像データとの減算処理によって得られる基準差分画像データ及び差分画像データの画素値を示している。又、Ｂｏ及びＢｘは、基準差分画像データの画素値Ｐｏ（ｘ、ｙ）及び差分画像データの画素値Ｐｘ（ｘ，ｙ）を常に正の値とするためのオフセット値であり、入力部１０において予め設定することが可能である。
【００４２】
一方、ウインドウパラメータ推定部８５は、入力部１０において任意に設定される差分係数Ａｘを用いた第１の原画像データと第２の原画像データとの減算処理によって生成される差分画像データのウインドウレベルＷＬｘ及びウインドウ幅ＷＷｘを、ウインドウパラメータ算出部８２が算出した第１の原画像データのウインドウレベルＷＬａ及びウインドウ幅ＷＷａ、基準差分画像データのウインドウレベルＷＬｏ及びウインドウ幅ＷＷｏ及び基準差分係数算出部８３が算出した基準差分係数Ａｏに基づいて推定する。
【００４３】
図５は、任意の差分係数Ａｘを用いて生成される差分画像データのウインドウレベルＷＬｘ及びウインドウ幅ＷＷｘの推定方法を説明するための図である。
【００４４】
ウインドウレベルＷＬｘの推定方法を示す図５（ａ）では、Ａｘ＝０の場合の差分画像データ（即ち、第１の原画像データ）のヒストグラムにて計測されるウインドウレベルＷＬａと基準差分係数Ａｏを用いた減算処理によって生成された基準差分画像データのヒストグラムにて計測されるウインドウレベルＷＬｏ（ＷＬｏ＜ＷＬａ）に基づき、入力部１０において任意に設定される差分係数Ａｘを用いた第１の原画像データと第２の原画像データとの減算処理によって生成される差分画像データのウインドウレベルＷＬｘを推定する。この場合、例えば、図５（ａ）に示すように横軸（ｘ軸）を差分係数、縦軸（ｙ軸）をウインドウレベルとするグラフ上の座標（０、ＷＬａ）と座標（Ａｏ、ＷＬｏ）を直線で結び、この直線とｘ＝Ａｘの直線との交点Ｑｘにおけるｙ座標によって差分係数Ａｘに対応するウインドウレベルＷＬｘを推定する。
【００４５】
一方、ウインドウ幅ＷＷｘの推定方法を示す図５（ｂ）では、第１の原画像データのヒストグラムにて計測されるウインドウ幅ＷＷａと基準差分係数Ａｏを用いた減算処理によって生成された基準差分画像データのヒストグラムにて計測されるウインドウ幅ＷＷｏ（ＷＷｏ＜ＷＷａ）に基づき、入力部１０にて任意に設定される差分係数Ａｘを用いた第１の原画像データと第２の原画像データとの減算処理によって生成される差分画像データのウインドウ幅ＷＷｘを推定する。この場合、例えば、図５（ｂ）に示すように横軸（ｘ軸）を差分係数、縦軸（ｙ軸）をウインドウ幅とするグラフ上の座標（０、ＷＷａ）と座標（Ａｏ、ＷＷｏ）を負の勾配−θを有する直線で結び、更に、座標（Ａｏ、ＷＷｏ）を起点とした正の勾配θを有する直線をＡｏ＜ｘ≦１の範囲で設定する。そして、これらの直線とｘ＝Ａｘの直線との交点Ｒｘにおけるｙ座標によって差分係数Ａｘに対応するウインドウ幅ＷＷｘを推定する。
【００４６】
尚、図４では、座標（０、ＷＬａ）と座標（Ａｏ、ＷＬｏ）を結ぶ直線、座標（０、ＷＷａ）と座標（Ａｏ、ＷＷｏ）を結ぶ直線、更には、座標（Ａｏ、ＷＷｏ）を起点とする直線とｘ＝Ａｘとの交点座標によって差分画像データのウインドウレベルＷＬｘ及びウインドウ幅ＷＷｘを推定する場合について述べたが、これに限定されるものではなく、例えば、座標（０、ＷＬａ）と座標（Ａｏ、ＷＬｏ）あるいは座標（０、ＷＷａ）と座標（Ａｏ、ＷＷｏ）とを結ぶ単調減少の曲線と直線ｘ＝Ａｘとの交点座標によってウインドウレベルＷＬｘ及びウインドウ幅ＷＷｘを推定してもよく、座標（Ａｏ、ＷＷｏ）を起点とする単調増加の曲線と直線ｘ＝Ａｘとの交点座標によってウインドウ幅ＷＷｘを推定してもよい。
【００４７】
次に、図１の表示部９は、表示データ生成部９１とモニタ９２を備えている。表示データ生成部９１は、差分画像データ生成部８４が上述の差分係数Ａｘを用いた減算処理によって生成した差分画像データを受信し、ウインドウパラメータ推定部８５において推定された差分画像データのウインドウレベルＷＬｘ及びウインドウ幅ＷＷｘに基づき、この差分画像データの画素値の中央値及び分布範囲が表示系の表示範囲（ダイナミックレンジ）に適合するように画素値変換を行なう。そして、変換後の差分画像データに被検体情報等の付帯情報を付加してモニタ９２に表示する。
【００４８】
又、表示部９は、画像データ記憶部７から読み出された第１の原画像データ及び第２の原画像データや差分画像データ生成部８４において生成された基準差分画像データも必要に応じて表示部９のモニタ９２に表示することが可能である。この場合、表示部９の表示データ生成部９１は、ウインドウレベルＷＬａ及びウインドウ幅ＷＷａに基づく第１の原画像データの画素値変換とウインドウレベルＷＬｂ及びウインドウ幅ＷＷｂに基づく第２の原画像データの画素値変換を行ない、更に、ウインドウレベルＷＬｏ及びウインドウ幅ＷＷｏに基づく基準差分画像データの画素値変換を行なう。
【００４９】
次に、入力部１０は、表示パネルやキーボード、トラックボール、ジョイスティック、レバー、マウス等の入力デバイスを備えたインターラクティブなインターフェイスであり、第１の原画像データと第２の原画像データとの減算処理における差分係数の設定や更新を行なう差分係数設定機能１０１やヒストグラムに対する閾値αを設定する閾値設定機能１０２を有している。又、被検体情報の入力、デュアルエナジー法の選択、投影データ生成条件の設定、画像データ生成条件及び画像データ表示条件の設定、減算処理におけるオフセット値Ｂｏ及びＢｘの設定、更には、各種コマンド信号の入力等も上述の表示パネルや入力デバイスを用いて行なわれる。
【００５０】
図６は、差分係数設定機能１０１の具体例を示したものであり、例えば、差分係数を設定するためのコマンド信号が入力部１０にて入力された場合、図６に示すようなスライドレバーＭａを有する差分係数設定画面Ｍｂが表示部９のモニタ９２あるいは入力部１０の表示パネルに表示される。そして、操作者は、入力部１０に設けられたマウスを用いて上述のスライドレバーＭａを、例えば、左右方向へ任意に移動（スライド）させることにより差分係数Ａｘの設定や更新を行なう。但し、この差分係数設定画面Ｍｂに表示されたスライドレバーＭａを移動させる替わりに、入力部１０が備えた専用のレバーやジョイスティック等を直接スライドあるいは移動させることによって差分係数Ａｘの設定や更新を行なってもよい。
【００５１】
システム制御部１１は、図示しないＣＰＵと記憶回路を備え、入力部１０において入力／設定／選択された上述の情報は前記記憶回路に一旦保存される。そして、前記ＣＰＵは、これらの入力情報、設定情報及び選択情報に基づいて被検体１５０に対する第１の原画像データ及び第２の原画像データの収集や第１の原画像データと第２の原画像データとの減算処理による基準差分画像データの生成を行ない、更に、第１の原画像データ及び基準差分画像データのヒストグラムから推定されるウインドウレベル及びウインドウ幅に基づき、任意の差分係数を用いた減算処理によって生成される差分画像データの表示を行なう。
【００５２】
（差分画像データの表示手順）
次に、本実施例における差分画像データの表示手順につき、図７のフローチャートに沿って説明する。
【００５３】
（原画像データの生成と保存）
デュアルエナジー法による第１の原画像データ及び第２の原画像データの収集に先立ち、Ｘ線診断装置１００の操作者は、入力部１０において被検体情報の入力、デュアルエナジー法の選択、投影データ生成条件の設定、画像データ生成条件及び画像データ表示条件の設定等の初期設定を行ない、更に、Ｘ線撮影部１のＸ線発生部２及びＸ線検出部３を被検体１５０に対し好適な位置に配置した後、原画像データの生成開始コマンドを入力することによってデュアルエナジー法を適用した被検体１５０に対するＸ線撮影が開始される。
【００５４】
上述の入力／設定／選択情報とコマンド信号を受信したシステム制御部１１は、先ず、高管電圧撮影モードのＸ線撮影を実行するための指示信号を管電圧発生部５のＸ線制御部５１に供給する。この指示信号を受信したＸ線制御部５１は、既に設定されている投影データ生成条件のＸ線照射条件に基づき管電圧発生器５２を制御して高管電圧撮影モードの管電圧をＸ線発生部２のＸ線管２１に印加し、Ｘ線管２１は、Ｘ線絞り器２２を介して被検体１５０にＸ線を照射する。そして、被検体１５０を透過したＸ線は、この被検体１５０の後方に設けられたＸ線検出部３の平面検出器３１によって検出される。即ち、平面検出器３１は、被検体１５０を透過したＸ線を受信して、そのＸ線照射強度に比例した信号電荷を図示しない電荷蓄積コンデンサに蓄積する。Ｘ線照射が終了すると、システム制御部１１から制御信号が供給されたゲートドライバ３２は、平面検出器３１に対して駆動パルスを供給し前記電荷蓄積コンデンサに蓄積された信号電荷を列方向に順次読み出す。
【００５５】
このとき読み出された信号電荷は、投影データ生成部４における電荷・電圧変換器４１において電圧に変換され、更に、Ａ／Ｄ変換器４２においてデジタル信号に変換された後パラレル・シリアル変換器４３に供給されて時系列的な投影データが形成される。次いで、画像データ生成部６は、Ｘ線撮影部１の投影データ生成部４から供給される投影データを自己の記憶回路に順次保存し、必要に応じてフィルタリング処理等を行なって高管電圧撮影モードにおける第１の原画像データを生成する。そして、得られた第１の原画像データを画像データ記憶部７に保存する。
【００５６】
第１の原画像データの生成と保存が終了したならば、システム制御部１１は、低管電圧撮影モードのＸ線撮影を実行するための指示信号を管電圧発生部５のＸ線制御部５１に供給する。この指示信号を受信したＸ線制御部５１は、管電圧発生器５２を制御して低管電圧撮影モードの管電圧をＸ線発生部２のＸ線管２１に印加し被検体１５０に対してＸ線を照射する。投影データ生成部４は、このときＸ線検出部３が検出する被検体１５０を透過したＸ線に基づいて投影データを生成し、画像データ生成部６は、投影データ生成部４から供給される投影データを保存して低管電圧撮影モードにおける第２の原画像データを生成し画像データ記憶部７に保存する（図７のステップＳ１）。
【００５７】
（差分画像データの生成と表示）
デュアルエナジー法の高管電圧撮影モードにおける第１の原画像データと低管電圧撮影モードにおける第２の原画像データの生成と保存が終了したならば、操作者は、入力部１０において差分画像データの生成開始コマンドを入力し、システム制御部１１を介しこのコマンド信号を受信した画像データ処理部８のヒストグラム算出部８１は、画像データ記憶部７に保存されている第１の原画像データと第２の原画像データを読み出す。そして、自己の記憶回路に予め保管されているヒストグラム算出用プログラムを用いて第１の原画像データのヒストグラム及び第２の原画像データのヒストグラムを算出する（図７のステップＳ２）。
【００５８】
次いで、ウインドウパラメータ算出部８２は、上述のヒストグラム算出部８１において算出されたヒストグラムと入力部１０からシステム制御部１１を介して供給されたヒストグラムに対する閾値αに基づいて第１の原画像データのウインドウレベルＷＬａ及びウインドウ幅ＷＷａを算出し、更に、第２の原画像データのウインドウレベルＷＬｂ及びウインドウ幅ＷＷｂを算出する（図７のステップＳ３）。
【００５９】
一方、基準差分係数算出部８３は、ウインドウパラメータ算出部８２が算出した第１の原画像データのヒストグラムにおけるウインドウ幅ＷＷａ及び第２の原画像データのヒストグラムにおけるウインドウ幅ＷＷｂを、例えば、式（２）へ代入することにより、ヒストグラムのウインドウ幅が最小となる基準差分画像データを生成する際の第１の原画像データと第２の原画像データとの減算処理に用いる基準差分係数Ａｏを算出する（図７のステップＳ４）。
【００６０】
そして、差分画像データ生成部８４は、基準差分係数算出部８３から供給される基準差分係数Ａｏを適用した式（３）に基づく第１の原画像データと第２の原画像データとの減算処理により基準差分画像データを生成し（図７のステップＳ５）、ヒストグラム算出部８１は、差分画像データ生成部８４から供給される基準差分画像データのヒストグラムを算出する（図７のステップＳ６）。一方、ウインドウパラメータ算出部８２は、上述のヒストグラム算出部８１によって算出された基準差分画像データのヒストグラムに基づいて基準差分画像データのウインドウレベルＷＬｏ及びウインドウ幅ＷＷｏを算出する（図７のステップＳ７）。
【００６１】
基準差分画像データのウインドウレベルＷＬｏ及びウインドウ幅ＷＷｏの算出が終了したならば、操作者は、入力部１０の差分係数設定機能１０１を用いて所望の差分係数Ａｘを設定する（図７のステップＳ８）。そして、システム制御部１１を介して差分係数Ａｘの情報を受信した画像データ処理部８のウインドウパラメータ推定部８５は、この差分係数Ａｘを用いた第１の原画像データと第２の原画像データとの減算処理によって生成される差分画像データのウインドウレベルＷＬｘを、ウインドウパラメータ算出部８２によって算出された第１の原画像データのウインドウレベルＷＬａ及び基準差分画像データのウインドウレベルＷＬｏと基準差分係数算出部８３によって算出された基準差分係数Ａｏに基づいて推定する（図４（ａ）参照）。
【００６２】
同様にして、ウインドウパラメータ推定部８５は、前記差分画像データのウインドウ幅ＷＷｘを、ウインドウパラメータ算出部８２において算出された第１の原画像データのウインドウ幅ＷＷａ及び基準差分画像データのウインドウ幅ＷＷｏと前記基準差分係数Ａｏに基づいて推定する（図４（ｂ）参照）（図７のステップＳ９）。
【００６３】
次いで、差分画像データ生成部８４は、上述のステップＳ８において入力部１０の差分係数設定機能１０１が設定した差分係数Ａｘが適用された式（４）に基づく第１の原画像データと第２の原画像データとの減算処理によって差分画像データを生成し（図７のステップＳ１０）、表示部９の表示データ生成部９１は、ウインドウパラメータ推定部８５において推定されたウインドウレベルＷＬｘ及びウインドウ幅ＷＷｘに基づき、差分画像データ生成部８４が生成した差分画像データの画素値の中央値及び分布範囲と表示系の表示範囲（ダイナミックレンジ）とが一致するように差分画像データの画素値を変換し、更に、画素値変換された差分画像データに被検体情報等の付帯情報を付加してモニタ９２に表示する（図７のステップＳ１１）。
【００６４】
そして、ステップＳ１１において表示された差分画像データが適当でない場合、操作者は、所望の差分画像データが表示されるまで入力部１０の差分係数設定機能１０１を用いた差分係数Ａｘの更新（図７のステップＳ１２）と上述のステップＳ９乃至ステップＳ１１を繰り返し行なう。一方、ステップＳ１１において所望の差分画像データが表示された場合、この差分画像データを用いた被検体１５０の診断を開始する（図７のステップＳ１３）。
【実施例２】
【００６５】
次に、本発明の第２の実施例におけるＸ線画像処理装置について説明する。以下に述べる本実施例のＸ線画像処理装置は、当該被検体から予め収集されたデュアルエナジー法の高管電圧撮影モードにおける画像データ（第１の原画像データ）及び低管電圧撮影モードにおける画像データ（第２の原画像データ）のヒストグラムに基づいて基準差分係数を算出し、この基準差分係数を用いた第１の原画像データと第２の原画像データとの減算処理によって基準差分画像データを生成する。次いで、第１の原画像データ及び基準差分画像データのヒストグラムから算出したウインドウレベル及びウインドウ幅に基づいて、任意の差分係数を用いた第１の原画像データと第２の原画像データとの減算処理によって生成される差分画像データのウインドウレベル及びウインドウ幅を推定する。そして、得られたウインドウレベル及びウインドウ幅に基づいて前記差分画像データの画素値を変換処理して表示部に表示する。
【００６６】
（装置の構成）
本発明の第２の実施例におけるＸ線画像処理装置の構成につき図８のブロック図を用いて説明する。但し、図８において、図１に示したＸ線診断装置１００のユニットと同様の構成及び機能を有するユニットは同一の符号を付加し、詳細な説明は省略する。
【００６７】
図８に示す本実施例のＸ線画像処理装置２００は、別途設置されたＸ線診断装置や画像データサーバ等から供給される各種の画像データを保管する画像データ保管部１２と、入力部１０から供給される被検体情報とデュアルエナジー法の選択情報に基づいて画像データ保管部１２に保管された各種画像データの中から読み出した当該被検体の高管電圧撮影モードにおける第１の原画像データと低管電圧撮影モードにおける第２の原画像データとの減算処理により基準差分画像データ及び差分画像データを生成し、更に、上述の第１の原画像データ及び基準差分画像データのヒストグラムに基づいて差分画像データのウインドウレベル及びウインドウ幅を推定する画像データ処理部８と、画像データ処理部８において推定されたウインドウレベル及びウインドウ幅に基づいて前記差分画像データの画素値を変換して所定のモニタに表示する表示部９と、被検体情報の入力、差分係数Ａｘの設定、ヒストグラムに対する閾値αの設定、更には、各種コマンド信号の入力等を行なう入力部１０ａと、Ｘ線画像処理装置２００が備える上述の各ユニットを統括的に制御するシステム制御部１１ａを備えている。
【００６８】
画像データ保管部１２は大容量の記憶回路を備えている。そして、別途設置された図示しないＸ線診断装置をはじめとする医用画像診断装置や画像データサーバ等からネットワーク１５や図示しない記憶媒体を介して供給される各種の画像データは前記記憶回路に保存される。
【００６９】
一方、画像データ処理部８は、図１に示した第１の実施例と同様なヒストグラム算出部８１、ウインドウパラメータ算出部８２、基準差分係数算出部８３、差分画像データ生成部８４及びウインドウパラメータ推定部８５を備え、表示部９も第１の実施例と同様な表示データ生成部９１及びモニタ９２を備えている。
【００７０】
次に、入力部１０ａは、表示パネルやキーボード、トラックボール、ジョイスティック、レバー、マウス等の入力デバイスを備えたインターラクティブなインターフェイスであり、第１の原画像データと第２の原画像データとの減算処理における差分係数の設定や更新を行なう差分係数設定機能１０１やヒストグラムに対する閾値αを設定する閾値設定機能１０２を有している。又、被検体情報の入力、デュアルエナジー法の選択、減算処理におけるオフセット値Ｂｏ及びＢｘの設定、画像データ表示条件の設定、更には、各種コマンド信号の入力等も上述の表示パネルや入力デバイスを用いて行なわれる。
【００７１】
システム制御部１１ａは、図示しないＣＰＵと記憶回路を備え、入力部１０ａにおいて入力／設定／選択された上述の情報は前記記憶回路に一旦保存される。そして、前記ＣＰＵは、これらの入力情報、設定情報及び選択情報に基づいて当該被検体から予め収集された第１の原画像データと第２の原画像データとの減算処理により基準差分画像データを生成し、更に、第１の原画像データ及び基準差分画像データのヒストグラムから推定されるウインドウレベル及びウインドウ幅に基づき、任意の差分係数を用いた減算処理によって生成される差分画像データの表示を行なう。
【００７２】
尚、本実施例における差分画像データの表示手順は、図７に示した第１の実施例の差分画像データの表示手順におけるステップＳ２乃至ステップＳ１３と同様であるため詳細な説明は省略する。
【００７３】
以上述べた本発明の第１の実施例及び第２の実施例によれば、Ｓ／Ｎと階調性に優れたデュアルエナジー法による差分画像データを差分係数の更新に追随させて短時間で表示することができる。このため、診断効率が向上するのみならず操作者の負担が大幅に軽減される。
【００７４】
特に、上述の第１の実施例及び第２の実施例によれば、画像データのヒストグラムに基づいて予め算出した原画像データ及び差分画像データのウインドウパラメータ（ウインドウレベル及びウインドウ幅）と任意に設定される差分係数とに基づいて、この差分係数を適用した原画像データの減算処理によって生成される差分画像データのウインドウパラメータを推定しているため、差分係数を順次更新しながら所望の差分画像データを短時間で観察するような場合においても、更新される差分係数の各々に対応する差分画像データのウインドウパラメータを容易に推定することができ、従って、差分画像データを、その画素値の中央値及び分布範囲が常に表示系の表示範囲（ダイナミックレンジ）に適合した状態で表示することができるため階調性に優れた差分画像データを差分係数の更新に追随させて観察することが可能となる。
【００７５】
又、上述の第１の実施例及び第２の実施例では、原画像データのウインドウ幅に基づいて得られる基準差分係数を用いた前記原画像データの減算処理によってウインドウ幅が最小となる基準差分画像データを生成し、この基準差分画像データのヒストグラムから得られたウインドウパラメータを基準として差分画像データのウインドウパラメータを推定しているため、差分係数の更新範囲に関わらず高い推定精度を得ることができる。
【００７６】
一方、上述の第２の実施例では、別途設置されたＸ線診断装置からネットワーク等を介して供給されるデュアルエナジー法の画像データに基づいて差分画像データの生成と表示を行なっているため、操作者は、時間や場所の制約をあまり受けることなく当該被検体に対する診断を効率よく行なうことができる。
【００７７】
以上、本発明の実施例について述べてきたが、本発明は上述の実施例に限定されるものでは無く、変形して実施することが可能である。例えば、上述の実施例では、高管電圧撮影モードの画像データを第１の原画像データ、低管電圧撮影モードの画像データを第２の原画像データとし、第１の原画像データの画素値から基準差分係数あるいは差分係数が乗ぜられた第２の原画像データの画素値を減算することによって基準差分画像データあるいは差分画像データを生成する場合について述べたが、低管電圧撮影モードの画像データを第１の原画像データ、高管電圧撮影モードの画像データを第２の原画像データとしても構わない。
【００７８】
又、上述の実施例では、差分係数に対するウインドウレベルあるいは差分係数に対するウインドウ幅を示す図４において、座標（０、ＷＬａ）と座標（Ａｏ、ＷＬｏ）を結ぶ直線、座標（０、ＷＷａ）と座標（Ａｏ、ＷＷｏ）を結ぶ直線、更には、座標（Ａｏ、ＷＷｏ）を起点とする直線とｘ＝Ａｘとの交点座標によって差分画像データのウインドウレベルＷＬｘ及びウインドウ幅ＷＷｘを推定する場合について述べたが、座標（０、ＷＬａ）と座標（Ａｏ、ＷＬｏ）あるいは座標（０、ＷＷａ）と座標（Ａｏ、ＷＷｏ）とを結ぶ単調減少の曲線と直線ｘ＝Ａｘとの交点座標によってウインドウレベルＷＬｘ及びウインドウ幅ＷＷｘを推定してもよく、座標（Ａｏ、ＷＷｏ）を起点とする単調増加の曲線と直線ｘ＝Ａｘとの交点座標によってウインドウ幅ＷＷｘを推定してもよい。
【００７９】
更に、図３に示したヒストグラムに対するウインドウ幅の算出において、ヒストグラムの分布幅Ｗ（Ｗ＝Ｂｍａｘ−Ｂｍｉｎ）に対するマージンΔＷ１及びΔＷ２は、ΔＷ１＞０及びΔＷ２＞０の場合について示したがΔＷ１≦０及びＷ２≦０であっても構わない。又、基準差分画像データや差分画像デーを生成する際に用いる演算式は、式（３）や式（４）に限定されない。
【００８０】
一方、原画像データ及び基準差分画像データのヒストグラムにおける最大画素値Ｂｍａｘ及び最小画素値Ｂｍｉｎの検出は、ウインドウパラメータ算出部８２によって行なわれる場合について述べたが、操作者が、表示部９に表示された前記ヒストグラムに対し入力部１０の入力デバイスを用いて指定してもよい。
【図面の簡単な説明】
【００８１】
【図１】本発明の第１の実施例におけるＸ線診断装置の全体構成を示すブロック図。
【図２】同実施例のＸ線診断装置が備えるＸ線撮影部の具体的な構成を示すブロック図。
【図３】同実施例における原画像データのヒストグラムとウインドウレベル及びウインドウ幅を示す図。
【図４】同実施例における第１の原画像データ、第２の原画像データ及び基準差分画像データのヒストグラムとウインドウレベル及びウインドウ幅を示す図。
【図５】同実施例の差分係数に基づいて生成される差分画像データのウインドウレベル及びウインドウ幅の推定方法を説明するための図。
【図６】同実施例の入力部における差分係数設定機能の具体例を示す図。
【図７】同実施例における差分画像データの表示手順を示すフローチャート。
【図８】本発明の第２の実施例におけるＸ線画像処理装置の全体構成を示すブロック図。
【図９】デュアルエナジー法における差分画像データの生成方法を説明するための図。
【符号の説明】
【００８２】
１…Ｘ線撮影部
２…Ｘ線発生部
３…Ｘ線検出部
４…投影データ生成部
５…管電圧発生部
６…画像データ生成部
７…画像データ記憶部
８…画像データ処理部
８１…ヒストグラム算出部
８２…ウインドウパラメータ算出部
８３…基準差分係数算出部
８４…差分画像データ生成部
８５…ウインドウパラメータ推定部
９…表示部
９１…表示データ生成部
９２…モニタ
１０、１０ａ…入力部
１０１…差分係数設定機能
１０２…閾値設定機能
１１、１１ａ…システム制御部
１２…画像データ保管部
１００…Ｘ線診断装置
２００…Ｘ線画像処理装置
【図１】
2010046287.tif 000006
【図２】
2010046287.tif 000007
【図３】
2010046287.tif 000008
【図４】
2010046287.tif 000009
【図５】
2010046287.tif 000010
【図６】
2010046287.tif 000011
【図７】
2010046287.tif 000012
【図８】
2010046287.tif 000013
【図９】
2010046287.tif 000014